(57)【要約】【課題】意匠性の低下を防止できる遊技機を提供する。【解決手段】スロットマシンには、トップレンズユニット３０が設けられている。トップレンズユニット３０は、ユニット本体３１、化粧パネル３２、押さえ部材３３を有する。化粧パネル３２、押さえ部材３３はともにスロットマシンを装飾する機能を有する。化粧パネル３２は、ユニット本体３１の表面に配置される。押さえ部材３３は、化粧パネル３２の近傍に配置され、ユニット本体３１の背面側からユニット本体３１にネジ止めされて固定される。押さえ部材３３には、化粧パネル３２の表面側に張り出すように設けられた張り出し部３３ａが設けられ、押さえ部材３３がユニット本体３１に装着されると、張り出し部３３ａとユニット本体３１の前面との間で化粧パネル３２が挟持される。【選択図】図３
2018108294.tif 000002
【特許請求の範囲】
【請求項１】
遊技機本体の表面側に装飾部材が設けられた遊技機において、
前記装飾部材は、
ベース部材の表面側に配置された第１装飾部品と、
前記第１装飾部品の近傍に配置された第２装飾部品と、
を備え、
前記第２装飾部品は、
前記第１装飾部品の表面側に張り出すように設けられた張り出し部を有し、前記張り出し部と前記ベース部材との間で前記第１装飾部品を挟持することを特徴とする遊技機。
【請求項２】
前記装飾部材は、
前記遊技機本体の表面から突出するように設けられた取付部の先端に、裏面側を対面させた状態で取り付けられるとともに、前記取付部よりも大型に形成されており、前記装飾部材の裏面のうち前記取付部からはみ出したはみ出し部と前記遊技機本体の表面との間には隙間が存在し、
前記隙間には、
前記はみ出し部の縁部から、前記遊技機本体側かつ前記装飾部材の中心側へ向かう傾斜面を有する隙間部材が配置されていることを特徴とする請求項１記載の遊技機。
【請求項３】
前記隙間部材は、
前記第２装飾部品に固定される第１固定部と、
前記ベース部材に固定される第２固定部と、
を備え、
前記隙間部材により、前記第２装飾部品と前記ベース部材とが連結されることを特徴とする請求項２記載の遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンは、機種名や象徴的なキャラクタなどが記載された化粧パネルなどの装飾部品を含んで構成される装飾部材を備えている。装飾部材（装飾部品）は、その性質上、遊技者側に露呈されているため、背面側から照明したり、背面側からネジ止する（装飾部材（装飾部品）を固定（保持）するための固定部材を隠蔽する）など、意匠性を高めるための各種の工夫が施されている（下記特許文献１参照）。
【先行技術文献】
【特許文献】
【０００３】
【特許文献１】特開２０１１−１３９９３２
【発明の概要】
【発明が解決しようとする課題】
【０００４】
しかしながら、上記特許文献１のように装飾部材（装飾部品）を背面側からネジ止めする場合、ネジやネジ穴に対応する部分については照明を行えなかったり、デザインが制限される（ネジやネジ穴を避けてデザインしなければならない）などの理由から意匠性を低下させる要因となり問題であった。
【０００５】
本発明は、上記背景を鑑みてなされたものであり、意匠性の低下を防止できる遊技機を提供することを目的としている。
【課題を解決するための手段】
【０００６】
上記目的を達成するために、本発明の遊技機は、遊技機本体の表面側に装飾部材が設けられた遊技機において、前記装飾部材は、ベース部材の表面側に配置された第１装飾部品と、前記第１装飾部品の近傍に配置された第２装飾部品と、を備え、前記第２装飾部品は、前記第１装飾部品の表面側に張り出すように設けられた張り出し部を有し、前記張り出し部と前記ベース部材との間で前記第１装飾部品を挟持することを特徴としている。
【０００７】
前記装飾部材は、前記遊技機本体の表面から突出するように設けられた取付部の先端に、裏面側を対面させた状態で取り付けられるとともに、前記取付部よりも大型に形成されており、前記装飾部材の裏面のうち前記取付部からはみ出したはみ出し部と前記遊技機本体の表面との間には隙間が存在し、前記隙間には、前記はみ出し部の縁部から、前記遊技機本体側かつ前記装飾部材の中心側へ向かう傾斜面を有する隙間部材が配置されているものでもよい。
【０００８】
前記隙間部材は、前記第２装飾部品に固定される第１固定部と、前記ベース部材に固定される第２固定部と、を備え、前記隙間部材により、前記第２装飾部品と前記ベース部材とが連結されるものでもよい。
【発明の効果】
【０００９】
本発明によれば、装飾部品（第１装飾部品）を装飾部品（第２装飾部品）で押さえて（ベース部材との間で挟持して）固定するので、第１装飾部品を固定するためのネジやネジ穴などの固定部材を廃止または減少させることが可能であり、意匠性の低下を防止できる。さらに、固定部材の廃止または減少により、コストも抑えることができる。
【００１０】
また、第１装飾部品や第２装飾部品を含む装飾部材を、遊技機本体の表面から突出するように設けられた取付部の先端に、裏面側を対面させた状態で取り付けるとともに、装飾部材を取付部よりも大型に形成し、装飾部材の裏面のうち取付部からはみ出したはみ出し部と遊技機本体の表面との間の隙間が存在する構成とすれば、遊技機本体の表面の視認領域のサイズに影響を与えること無く装飾部材を大型化できる。
【００１１】
さらに、はみ出し部と遊技機本体の表面との間の隙間に、はみ出し部の縁部から、遊技機本体側かつ装飾部材の中心側へ向かう傾斜面を有する隙間部材を設ければ、隙間部材（傾斜面）により装飾部材に指が掛かり難く、脱落させるように牽引することが難いため、装飾部材の脱落を防止できる。
【００１２】
また、第１装飾部品が配置されたベース部材と、第１装飾部品の近傍に配置された第２装飾部品とのそれぞれに隙間部材を固定することにより、第２装飾部品とベース部材とを連結する構成とすれば、第２装飾部品をベース部材に固定するための固定部材を廃止または減少させることが可能である。
【図面の簡単な説明】
【００１３】
【図１】スロットマシンの外観図である。
【図２】トップレンズユニットの外観図である。
【図３】トップレンズユニットの分解図である。
【図４】トップレンズユニットの断面図である。
【図５】隙間部材がユニット本体と押さえ部材とに固定される様子を示す説明図である。
【発明を実施するための形態】
【００１４】
図１に示すように、スロットマシン（遊技機）１０は、収納箱１１と、前面扉１２とを備え、これらから遊技機本体が構成されている。収納箱１１には、複数のリールがユニット化されたリールユニットや、メダルの払い出しを行うホッパ装置などが収納されている。前面扉１２は、上扉１２ａと下扉１２ｂとに分割されており、これら上扉１２ａ及び下扉１２ｂはそれぞれ収納箱１１に軸着され、開閉自在に支持されている。
【００１５】
上扉１２ａには、その前面に、各種画像を表示する液晶ディスプレイやリールを視認させるための透明窓１６が設けられている。液晶ディスプレイには、各種演出画像が表示される。また、リールは、例えば３つ設けられ、各リールの外周面には複数種類の図柄が配列されており、各リールが停止した状態では、透明窓１６を通して１つのリールにつき３個の図柄が表示される。
【００１６】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２８、クレジットされたメダルを清算するための清算ボタン２９が設けられている。
【００１７】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、内部抽選が実行されて複数種類の当選エリアのいずれかが決定されるとともにリールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、内部抽選で決定された当選エリアに対応付けされた役に対応する図柄組合せが表示されると、この役が入賞となり、入賞した役に対応する処理（入賞処理）が実行される。
【００１８】
また、スロットマシン１０には、上扉１２ａの上端中央部にトップレンズユニット（装飾部材）３０が設けられている。トップレンズユニット３０は、ユニット本体（ベース部材）３１の表面（本実施形態では、前面）に化粧パネル（第１装飾部品）３２が配置されている。化粧パネル３２は、スロットマシン１０を装飾する機能を有しており、例えば、スロットマシン１０の機種名やスロットマシン１０を象徴するキャラクタなどがプリントされたプリントシートやプリントシートの前面に配置される透明な保護パネルなどからなり、ユニット本体３１の内部に設けられたＬＥＤなどの光源により裏面側（本実施形態では、背面側）から照明される。
【００１９】
図２、図３に示すように、トップレンズユニット３０は、前述したユニット本体３１や化粧パネル３２の他、押さえ部材（第２装飾部品）３３、背面カバー（隙間部材）４０を備えている。以下、押さえ部材３３と、背面カバー４０とについて、順番に説明を行う。
【００２０】
＜押さえ部材＞
初めに押さえ部材３３について説明を行う。押さえ部材３３は、化粧パネル３２と同様にスロットマシン１０を装飾する機能を有しており、本実施形態では、外観の形状が指を模した形状に形成されている。そして、本実施形態では、化粧パネル３２の左右それぞれの近傍に押さえ部材３３が配置され、ユニット本体３１の背面側からユニット本体３１にネジ止めされて固定される
【００２１】
また、押さえ部材３３は、指の先に該当する部分が、化粧パネル３２の前面側（表面側）に張り出すように設けられた張り出し部３３ａとなっており、押さえ部材３３がユニット本体３１に装着されると、張り出し部３３ａとユニット本体３１の前面との間で化粧パネル３２が挟持されるようになっている。
【００２２】
このように、スロットマシン１０を装飾する機能を有する押さえ部材３３により、化粧パネル３２を前面側からユニット本体３１に押さえ付けるようにして保持（ユニット本体３１との間で挟持）することで、化粧パネル３２をネジや爪などの固定部材によりユニット本体３１に固定する場合と比較して、意匠性を向上させることが可能である。つまり、化粧パネル３２をネジや爪などの固定部材によりユニット本体３１に固定する場合、固定部材を避けるようにトップレンズユニット３０をデザインする必要があるが、スロットマシン１０では、このような制限無くデザインできるため意匠性の向上に寄与できる。
【００２３】
また、スロットマシン１０では、ネジや爪などの固定部材を用いることなく化粧パネル３２を保持できるため、構成を簡略化（部品点数を削減）し、コストを下げることも可能である。
【００２４】
なお、本実施形態では、ネジや爪などの固定部材を用いずに、押さえ部材３３のみで化粧パネル３２を保持する例で説明をしたが、押さえ部材３３に加え、ネジや爪などの固定部材を用いて化粧パネル３２を保持してもよい。この場合、押さえ部材３３と固定部材との両方で化粧パネル３２を保持するため、化粧パネル３２をより確実に保持できる。また、固定部材による固定箇所を減少でき（部品点数を削減でき）、デザインの制限についても低減できる。
【００２５】
また、本実施形態では、押さえ部材を化粧パネルの左右に配置し、化粧パネルの前面左側と前面右側とを押さえる例で説明をしたが、押さえ部材は化粧パネルを表面側から押さえる構成であればよい。このため、例えば、押さえ部材を化粧パネルの上下に配置し、化粧パネルの前面上側と前面下側とを押さえる構成としてもよい。また、表面が上方を向くように配置された化粧パネルを保持する場合は、押さえ部材により化粧パネルを上面側から押さえる構成とすればよい。同様に、表面が下方または左（右）側方を向くように配置された化粧パネルを保持する場合は、押さえ部材により化粧パネルを下側または左（右）側方から押さえる構成とすればよい。
【００２６】
また、本実施形態では、化粧パネルを押さえ部材で押さえる、すなわち、化粧パネルが第１装飾部品であり、押さえ部材が第２装飾部品である例で説明をしたが、化粧パネルや押さえ部材以外の装飾部品を第１、第２装飾部品としてもよい。さらに、本実施形態は、トップレンズユニットの表面に配置された第１装飾部品を第２装飾部品により押さえる例で説明をしたが、トップレンズユニット以外の構成部の表面に配置された第１装飾部品を第２装飾部品により押さえる構成としてもよい。
【００２７】
＜背面カバー＞
続いて、背面カバー４０について説明を行う。図４に示すように、トップレンズユニット３０は、遊技機本体の前面（本発明の表面に相当し、本実施形態では、透明窓１６）から前方へ突出するように設けられた取付部４２の先端部（本実施形態では、前端部（前端面））に取り付けられている。トップレンズユニット３０の背面（裏面）は、取付部４２の先端部よりも大型（本実施形態では、上下方向に大型）に形成されており、トップレンズユニット３０の背面の一部（本実施形態では、下部）は、取付部４２の前面からはみ出した（本実施形態では、下方にはみ出した）はみ出し部４４となっている。背面カバー４０は、このはみ出し部４４を背面側から覆うように、はみ出し部４４と遊技機本体の前面との間の隙間４６に配置される。
【００２８】
背面カバー４０は、遊技機本体側の面が傾斜面４０ａとなっている。傾斜面４０ａは、はみ出し部４４の縁部（本実施形態では、下端）から、遊技機本体側（本実施形態では、後側（背面側））かつトップレンズユニット３０の中心側（本実施形態では、上側）へ向かうように傾斜されている。このように傾斜面４０ａを有する背面カバー４０を設けることにより、トップレンズユニット３０の脱落を防止できるだけでなく、取付部４２よりも大型のトップレンズユニット３０であっても透明窓１６の視認領域のサイズを維持できる。
【００２９】
つまり、背面カバー４０（傾斜面４０ａ）を設けずにトップレンズユニット３０の背面から鉛直面（はみ出し部４４）が露呈している場合や、傾斜面４０ａに代えてトップレンズユニット３０の縁部（本実施形態では、下端）からトップレンズユニット３０の中心側（本実施形態では、上側）へ向かう鉛直面を設けた場合、鉛直面に指を掛けて牽引されたなどの場合にトップレンズユニット３０が脱落する恐れがある。これに対し、スロットマシン１０では、背面カバー４０（傾斜面４０ａ）により指が掛かり難く、脱落させるように牽引することが難いため、トップレンズユニット３０の脱落を防止できる。
【００３０】
また、傾斜面４０ａに代えてトップレンズユニット３０の縁部（本実施形態では、下端）から遊技機本体側（本実施形態では、背面側）へ向かう水平面を設けた場合、透明窓１６の上端部が視認不能となってしまうため、透明窓１６の視認領域のサイズを維持するためには、トップレンズユニット３０のサイズ（本実施形態では、上下方向のサイズ）を縮小する必要がある。これに対し、スロットマシン１０では、遊技機本体側（本実施形態では、背面側）かつトップレンズユニット３０の中心側（本実施形態では、上側）へ向かう傾斜面４０ａにより、透明窓１６の視認領域のサイズを維持したままトップレンズユニット３０（化粧パネル３２）を拡大できる。
【００３１】
さらに、傾斜面４０ａのように、はみ出し部４４の縁部（本実施形態では、下端）から、遊技機本体側（本実施形態では、後側（背面側））かつトップレンズユニット３０の中心側（本実施形態では、上側）へ向かうように傾斜された面によりはみ出し部４４を覆うことにより、トップレンズユニット３０の表面（本実施形態では、前面）から裏面（本実施形態では、後面（背面））へかけての外観の形状に連続性を持たせることができ、意匠性を向上できる。
【００３２】
また、スロットマシン１０では、背面カバー４０の取り付け構造に工夫を施すことにより、構成の簡略化や押さえ部材３３の確実な固定を可能としている。具体的には、図５に示すように、背面カバー４０に、第１固定部５０と第２固定部５２とを設け、第１固定部５０をユニット本体３１に、第２固定部５２を押さえ部材３３に、それぞれ固定している。
【００３３】
なお、本実施形態では、背面カバー４０の幅方向（左右方向）の中央部を第１固定部５０とし、幅方向両側部を第２固定部５２としたが、第１、第２固定部５０、５２の位置についてはこれに限定されず任意の位置に変更できる。また、本実施形態では、ネジ５４により第１固定部５０をユニット本体３１に固定し、ネジ５６により第２固定部５２を押さえ部材３３に固定しているが、ネジ以外の周知の手法、例えば、接着や爪による係合などにより、固定を行ってもよい。
【００３４】
このように、ユニット本体３１と押さえ部材３３との両方に背面カバー４０を固定することで、背面カバー４０を介して、ユニット本体３１と押さえ部材３３とが連結される。換言すると、ユニット本体３１に押さえ部材３３を直接固定すること無く、背面カバー４０を介することによってユニット本体３１に対して押さえ部材３３が固定される。これにより、ユニット本体３１に押さえ部材３３を直接固定するための固定部材などを省略して構成を簡略化できる。また、固定部材などを設けてユニット本体３１に押さえ部材３３を直接固定する場合であっても、このような直接的手段による固定と、背面カバー４０を介した関節的手段による固定との両方によりユニット本体３１に対して押さえ部材３３を固定できるため、押さえ部材３３をより確実に固定できる。
【００３５】
なお、本実施形態では、装飾部材（トップレンズユニット）が遊技機本体の上部に配置され、装飾部材の下端部と遊技機本体（透明窓）との間に形成された隙間に傾斜面を有する本発明の隙間部材（背面カバー）を設ける例で説明をしたが、本発明はこれに限定されない。例えば、装飾部材が遊技機本体の左（右）側部に配置され、装飾部材の右（左）側部と遊技機本体との間に形成された隙間に本発明の隙間部材を設けてもよい。もちろん、装飾部材が遊技機本体の下部や中央部に配置され、装飾部材の上部と遊技機本体との間に形成された隙間に本発明の隙間部材を設けてもよい。
【００３６】
また、本実施形態では、遊技機本体の表面のうち前方を向いた面から前方へ突出するように設けられた取付部の先端（前端）に装飾部材が取付けられたスロットマシンに対して本発明を適用する例で説明をしたが、本発明はこれに限定されない。例えば、遊技機本体の表面のうち上方（または下方または側方）を向いた面から上方（または下方または側方）へ突出するように設けられた取付部の先端に装飾部材が取付けられたスロットマシンに対して本発明を適用してもよい。
【００３７】
また、上記実施形態では、背面カバー（隙間部材）に設けた傾斜面が背面（裏面）側に凸の曲面である例で説明したが、傾斜面を前面（表面）側に凸の曲面としてもよい。さらに、傾斜面は、遊技機本体側かつ装飾部材の中心側へ向けて傾斜した面であればよいので、曲面に限定されず平面であってもよい。
【００３８】
また、本実施形態では、遊技機としてスロットマシンに本発明を適用する例で説明をしたが、例えば、パチンコ機など、スロットマシン以外の遊技機に対して本発明を適用してもよい。
【符号の説明】
【００３９】
１０  スロットマシン（遊技機）
１２  前面扉
１２ａ  上扉
１２ｂ  下扉
１６  透明窓（遊技機本体の前面）
２４  スタートレバー
２６ａ〜２６ｃ  ストップボタン
３０  トップレンズユニット（装飾部材）
３１  ユニット本体（ベース部材）
３２  化粧パネル（第１装飾部品）
３３  押さえ部材（第２装飾部品）
３３ａ  張り出し部
４０  背面カバー（隙間部材）
４０ａ  傾斜面
４２  取付部
４４  はみ出し部
４６  隙間
５０  第１固定部
５２  第２固定部
【図１】
2018108294.tif 000003
【図２】
2018108294.tif 000004
【図３】
2018108294.tif 000005
【図４】
2018108294.tif 000006
【図５】
2018108294.tif 000007